(57)【要約】【課題】より簡単な操作でカバー部材を閉状態にすることができる電気掃除機を提供する。【解決手段】電気掃除機１００は、筐体１と、カバー部材２と、ガイド部と、規制部材とを備える。筐体１は、装着口１Ｓ及び装着口１Ｓに対向する対向壁を有する。カバー部材２は、装着口１Ｓを開閉する。ガイド部は、所定の装着方向に沿って、集塵袋が有する台紙部を筐体１の外部から装着口１Ｓを介して対向壁１ｔに向けて案内する。規制部材は、台紙部が装着方向Ａに沿って移動することにより、第１の姿勢から第２の姿勢へ切り替わる。カバー部材２は、第１の姿勢である規制部材に接触し、第２の姿勢である規制部材に接触しない。【選択図】図１
2019136334.tif 000002
【特許請求の範囲】
【請求項１】
装着口及び前記装着口に対向する対向壁を有する筐体と、
前記装着口を開閉するカバー部材と、
所定の装着方向に沿って、集塵袋が有する台紙部を前記筐体の外部から前記装着口を介して前記対向壁に向けて案内するガイド部と、
前記台紙部が前記装着方向に沿って移動することにより、第１の姿勢から第２の姿勢へ切り替わる規制部材と
を備え、
前記カバー部材は、前記第１の姿勢である前記規制部材に接触し、前記第２の姿勢である前記規制部材に接触しない、電気掃除機。
【請求項２】
前記規制部材は、接触面を有し、
前記接触面は、前記集塵袋が装着された場合において、前記台紙部と接触する、請求項１に記載の電気掃除機。
【請求項３】
前記規制部材を付勢する付勢部材を更に備え、
前記付勢部材は、前記接触面を前記装着方向と交差させるように前記規制部材を付勢する、請求項２に記載の電気掃除機。
【請求項４】
前記筐体は、吸引口を有し、
前記台紙部は、第１台紙端及び前記第１台紙端に対向する第２台紙端を有し、
前記集塵袋が前記筐体に装着された場合において、前記第１台紙端と前記第２台紙端との間に前記吸引口が位置する、請求項２又は請求項３に記載の電気掃除機。
【請求項５】
前記規制部材は、前記接触面と交差する操作面を更に有し、
前記集塵袋が前記筐体に装着された場合において、前記操作面は、前記第２台紙端よりも前記対向壁側に位置する、請求項４に記載の電気掃除機。
【請求項６】
前記ガイド部は、前記装着方向に沿って延びるガイド板を含み、
前記ガイド板は、第１ガイド端部及び第２ガイド端部を有し、
前記第１ガイド端部は、前記第２ガイド端部よりも前記対向壁側に位置し、
前記第２ガイド端部は、前記第１ガイド端部よりも前記吸引口から離れて設けられる、請求項４又は請求項５に記載の電気掃除機。
【請求項７】
前記ガイド部は、前記装着方向に沿って延びるガイド板を含み、
前記ガイド板は、第１ガイド端及び前記第１ガイド端に対向する第２ガイド端を有し、
前記第１ガイド端は、前記第２ガイド端よりも前記対向壁側に位置し、
前記第２ガイド端は、前記規制部材よりも前記対向壁側に位置する、請求項４又は請求項５に記載の電気掃除機。
【発明の詳細な説明】
【技術分野】
【０００１】
本発明は、電気掃除機に関する。
【背景技術】
【０００２】
特許文献１には、紙パックの装着忘れを抑制する紙パック装着構造を有する電気掃除機が開示されている。詳しくは、特許文献１に開示の電気掃除機は、蓋と、ケースと、集塵室と、紙パック挿入ガイドと、紙パック固定部品と、バネとを備える。集塵室は、ケース内部に配置される。ケースには、集塵室開口が形成される。集塵室開口は、集塵室の上方に形成される。蓋は、集塵室開口を開閉する。集塵室には、紙パック挿入ガイド、紙パック固定部品、及びバネが配置される。紙パック挿入ガイドは、案内レールを有する。案内レールは、紙パックの台紙を集塵室に案内する。紙パック固定部品は、紙パック挿入ガイドの上部に回転自在に軸支される。また、紙パック固定部品は、蓋閉止規制リブを有する。蓋閉止規制リブは、上方へ向けて突出する。バネは、蓋閉止規制リブが後方に傾くように紙パック固定部品を付勢する。蓋閉止規制リブが後方に傾く姿勢である場合、蓋が完全に閉まることが規制される。
【０００３】
また、紙パック固定部品は、台紙受部、及び台紙規制リブを有する。台紙受部及び台紙規制リブは、紙パック固定部品の後部に設けられる。台紙受部及び台紙規制リブは、案内レールと共に紙パックの台紙の挿入をガイドする。台紙受部は、台紙保持部を有する。台紙保持部は、台紙受部の下端に設けられる凹部によって構成される。ユーザーは、紙パック挿入ガイドに挿入された紙パックの台紙を移動させることにより、紙パック固定部品の姿勢を変化させることができる。詳しくは、ユーザーは、紙パック挿入ガイドに挿入された紙パックの台紙の上部を手動で前方に押す。この結果、紙パック固定部品の台紙受部が台紙の上端部を乗り越え、台紙保持部が台紙の上方に到達する。これにより、蓋閉止規制リブの姿勢が後方に傾く姿勢から前方へ傾く姿勢となる。この結果、蓋閉止規制リブが蓋に接触しなくなり、蓋を完全に閉じることができる。
【先行技術文献】
【特許文献】
【０００４】
【特許文献１】特開２０１７−１８５０３５号公報
【発明の概要】
【発明が解決しようとする課題】
【０００５】
しかしながら、特許文献１に開示の電気掃除機では、ユーザーは、蓋を完全に閉じる（閉状態にする）ために、台紙を紙パック挿入ガイドに挿入する操作に加え、台紙の上部を前方に押す操作が必要である。
【０００６】
本発明は、上記課題に鑑み、集塵袋の装着忘れを抑制しつつ、より簡単な操作でカバー部材を閉状態にすることができる電気掃除機を提供することを目的とする。
【課題を解決するための手段】
【０００７】
本発明に係る電気掃除機は、筐体と、カバー部材と、ガイド部と、規制部材とを備える。前記筐体は、装着口及び前記装着口に対向する対向壁を有する。前記カバー部材は、前記装着口を開閉する。前記ガイド部は、所定の装着方向に沿って、集塵袋が有する台紙部を前記筐体の外部から前記装着口を介して前記対向壁に向けて案内する。前記規制部材は、前記台紙部が前記装着方向に沿って移動することにより、第１の姿勢から第２の姿勢へ切り替わる。前記カバー部材は、前記第１の姿勢である前記規制部材に接触し、前記第２の姿勢である前記規制部材に接触しない。
【発明の効果】
【０００８】
本発明によれば、集塵袋の装着忘れを抑制しつつ、より簡単な操作でカバー部材を閉状態にすることができる。
【図面の簡単な説明】
【０００９】
【図１】本発明の実施形態１に係る電気掃除機の構成を示す斜視図である。
【図２】本発明の実施形態１に係る電気掃除機の構成を示す斜視図である。
【図３】本発明の実施形態１に係るカバー部材の構成を示す斜視図である。
【図４】本発明の実施形態１に係る本体ケースの分解斜視図である。
【図５】本発明の実施形態１に係る本体ケースの分解斜視図である。
【図６】（ａ）及び（ｂ）は、本発明の実施形態１に係るガイド部の構成を示す斜視図である。
【図７】（ａ）及び（ｂ）は、本発明の実施形態１に係るクランプの構成を示す斜視図である。
【図８】（ａ）及び（ｂ）は、本発明の実施形態１に係る集塵袋を示す図である。
【図９】本発明の実施形態１に係る本体ケースの内部の構成を示す斜視図である。
【図１０】本発明の実施形態１に係る本体ケースの内部の構成を示す斜視図である。
【図１１】（ａ）及び（ｂ）は、本発明の実施形態１に係るクランプの姿勢の変化を示す図である。
【図１２】（ａ）及び（ｂ）は、本発明の実施形態１に係るカバー部材とクランプとの関係を示す図である。
【図１３】（ａ）及び（ｂ）は、本発明の実施形態１に係るカバー部材とクランプとの関係を示す図である。
【図１４】本発明の実施形態１に係るクランプの他の構成を示す斜視図である。
【図１５】本発明の実施形態２に係るガイド板の構成を示す図である。
【図１６】本発明の実施形態３に係るガイド板の構成を示す図である。
【発明を実施するための形態】
【００１０】
以下、図面を参照して、本発明に係る電気掃除機の実施形態について説明する。なお、図中、同一又は相当部分については同一の参照符号を付して説明を繰り返さない。
【００１１】
［実施形態１］
まず、図１及び図２を参照して、実施形態１に係る電気掃除機１００の構成を説明する。図１は、実施形態１に係る電気掃除機１００の構成を示す斜視図である。図２は、実施形態１に係る電気掃除機１００の構成を示す斜視図である。
【００１２】
図１に示すように、電気掃除機１００は、本体ケース１、及びカバー部材２を備える。図１は、カバー部材２が開いた電気掃除機１００を示す。なお、本体ケース１は、筐体の一例である。
【００１３】
本体ケース１は、吸引口１ｋ、及び装着口１ｓを有する。本体ケース１には、装着口１ｓを介して、集塵袋が装着される。なお、電気掃除機１００は、一般的な掃除機が備える構成、例えば、吸引ホース、吸引パイプ、吸引具、及び電動送風機を備える。吸引口１ｋには、吸引ホース及び吸引パイプを介して吸引具が接続される。吸引具は、回転ブラシを有する。回転ブラシは、床面上の塵埃を集塵する。電動送風機は、本体ケース１の内部に設けられる。電動送風機が駆動すると、吸引具、吸引パイプ、吸引ホース及び吸引口１ｋを介して、塵埃が集塵袋に集塵される。
【００１４】
以下では、電気掃除機１００において、カバー部材２が設けられる側を「電気掃除機１００の上側」とし、その反対側を「電気掃除機１００の下側」として実施形態を説明する。また、電気掃除機１００において、吸引口１ｋが設けられる側を「電気掃除機１００の前側」とし、その反対側を「電気掃除機１００の後ろ側」として実施形態を説明する。また、電気掃除機１００を前側から見たときの右側を「電気掃除機１００の右側」とし、その反対側を「電気掃除機１００の左側」として実施形態を説明する。
【００１５】
本体ケース１は、本体前壁部１ｆを有する。本体前壁部１ｆは、本体ケース１の前面を構成する。本体前壁部１ｆは、前壁上面１ｕを有する。
【００１６】
また、本体ケース１は、本体凹部１１を有する。本体凹部１１は、本体前壁部１ｆの左右方向の中央部分に配置される。本体凹部１１は、本体ケース１の前面よりも後方に凹む。本体凹部１１は、係止部１１ａを有する。係止部１１ａは、本体凹部１１の左右方向の中央部に配置される。係止部１１ａは、本体凹部１１よりも更に後方へ凹む。
【００１７】
カバー部材２は、カバー本体２１を有する。カバー部材２が開いた状態において、カバー本体２１の先端部分は、前方に向けて突出する。また、カバー部材２が開いた状態において、装着口１ｓが露出する。カバー本体２１は、カバー先端２１ａを有する。カバー部材２が開いた状態において、カバー先端２１ａは、装着口１ｓの上方に位置する。以下、図１に示すカバー部材２の状態を「第１開状態」と記載する場合がある。
【００１８】
図１及び図２に示すように、カバー部材２は、第１回転方向Ｒ１及び第２回転方向Ｒ２に沿って回転自在である。カバー部材２は、第１回転方向Ｒ１又は第２回転方向Ｒ２に沿って回転することにより状態が変化する。詳しくは、図１に示す第１開状態から、第２回転方向Ｒ２に沿って回転すると、カバー部材２は、図２に示す状態になる。図２に示す状態において、カバー先端２１ａは、前壁上面１ｕの上方に位置する。換言すると、隙間がカバー部材２と前壁上面１ｕとの間に形成される。隙間は、本体ケース１の外部と本体ケース１の内部とを連通させる。以下、図２に示すカバー部材２の状態を「第２開状態」と記載する。
【００１９】
カバー部材２は、所定の条件において、第２開状態から更に第２回転方向Ｒ２に回転することができる。カバー部材２が第２開状態から更に第２回転方向Ｒ２に回転すると、カバー先端２１ａが前壁上面１ｕよりも下方に位置し、本体ケース１の内部と本体ケース１の外部とを連通する隙間が塞がれる。この結果、カバー部材２は、閉状態になる（装着口１ｓがカバー本体２１によって覆われる）。
【００２０】
次に、図１〜図３を参照して、実施形態１に係るカバー部材２の構成について更に説明する。図３は、実施形態１に係るカバー部材２の構成を示す斜視図である。図３は、第１開状態のカバー部材２の前側を右前方から見た図である。
【００２１】
図３に示すように、カバー部材２は、カバー本体２１に加え、複数のリブ２２、規制部材収容部２３、圧力調節弁２４、及び２つの支持部２５を有する。
【００２２】
カバー本体２１は、正面視略矩形形状を有する。カバー本体２１は、カバー内面２１ｎを有する。
【００２３】
複数のリブ２２は、カバー内面２１ｎに設けられる。第１開状態のカバー部材２において、複数のリブ２２は、カバー内面２１ｎから前側へ向けて突出する。複数のリブ２２は、第１リブ２２１、第２リブ２２２、２つの第３リブ２２３、２つの第４リブ２２４、及び第５リブ２２５を含む。
【００２４】
第１リブ２２１は、カバー本体２１の外縁に沿って形成される。第１リブ２２１は、前後方向におけるカバー先端２１ａの位置まで突出する。第１リブ２２１は、規制リブ２２１ａを含む。規制リブ２２１ａは、第２開状態のカバー部材２において、第１リブ２２１の上部を構成する。
【００２５】
第２リブ２２２、２つの第３リブ２２３、２つの第４リブ２２４は、カバー内面２１ｎにおいて、第１リブ２２１よりも内側に配置される。第２リブ２２２は、規制リブ２２１ａが延在する方向（左右方向）に沿って延在する。
【００２６】
各第３リブ２２３は、第２リブ２２２の左右方向の端部とそれぞれ接続する。各第３リブ２２３は、第２リブ２２２の各端部から規制リブ２２１ａへ向けて延在する。各第３リブ２２３は、リブ凹部２２３ａを有する。リブ凹部２２３ａは、カバー部材２が第１開状態である場合において、後方に凹む。
【００２７】
第４リブ２２４は、正面視略Ｌ字形状を有する。第４リブ２２４は、第３リブ２２３と規制リブ２２１ａとの間に配置される。
【００２８】
第５リブ２２５は、第１リブ２２１の外側（上側）に配置される。第５リブ２２５は、カバー本体２１の左右方向の略中央において、左右方向に延在する。第５リブ２２５は、カバー部材２が閉状態である場合、本体凹部１１（図１参照）に嵌合する。第５リブ２２５は、被係止部２２５ａを有する。カバー部材２が閉状態である場合、被係止部２２５ａが係止部１１ａ（図１参照）に係止される。
【００２９】
規制部材収容部２３は、規制リブ２２１ａ、第２リブ２２２、第３リブ２２３、第４リブ２２４、及びカバー内面２１ｎによって形成される（囲まれる）空間である。
【００３０】
圧力調節弁２４は、カバー部材２が閉状態である場合において、本体ケース１の内部の負圧が所定の負圧よりも大きくなると、本体ケース１の内部の負圧を小さくする。
【００３１】
各支持部２５は、カバー本体２１及び第１リブ２２１と接続する。第１開状態のカバー部材２において、各支持部２５は、カバー本体２１から下方に突出する。各支持部２５は、支柱部２５１と、２つのカバー突起部２５２とを有する。各支柱部２５１は、カバー内面２１ｎの左右方向の端部及び第１リブ２２１の下部の左右方向の端部と接続する。各支持部２５において、２つのカバー突起部２５２はそれぞれ、支柱部２５１から左右方向に突出する。詳しくは、各支持部２５において、一方のカバー突起部２５２は、支柱部２５１から右方向に突出し、他方のカバー突起部２５２は、支柱部２５１から左方向に突出する。各カバー突起部２５２は、本体ケース１が有するカバー支持部のそれぞれに摺動可能に嵌合する。各カバー支持部は、本体ケース１における各カバー突起部２５２に対応する位置に設けられる。これらの構成により、カバー部材２は、第１回転軸Ｘ１を中心に回転する。第１回転軸Ｘ１は、各カバー突起部２５２を結ぶ線によって構成される。
【００３２】
次に、図４及び図５を参照して、実施形態１に係る本体ケース１の構成について更に説明する。図４及び図５は、実施形態１に係る本体ケース１の分解斜視図である。なお、図５は、図４に示す本体ケース１を他の角度から見た分解斜視図である。
【００３３】
図４に示すように、電気掃除機１００は、ガイド部材３、クランプ４、及びバネ５を有する。なお、ガイド部材３は、ガイド部の一例である。クランプ４は、規制部材の一例である。バネ５は、付勢部材の一例である。
【００３４】
また、本体ケース１は、２つの軸受部１２及びバネ支持部１３を有する。２つの軸受部１２及びバネ支持部１３は、本体ケース１の内部に配置される。
【００３５】
２つの軸受部１２は、クランプ４を回転自在に支持する。バネ支持部１３は、バネ５を支持する。バネ５は、バネ支持部１３とクランプ４との間に配置されて、クランプ４を上方へ付勢する。
【００３６】
また、図５に示すように、本体ケース１は、２つのガイド支持部１４を更に有する。２つのガイド支持部１４は、本体ケース１の内部に配置される。ガイド部材３は、ネジなどの締結部材Ｓによって２つのガイド支持部１４に締結される。本実施形態において、ガイド部材３の部材色には、本体ケース１の内壁の部材色と異なる色が選択される。
【００３７】
続いて、図６（ａ）及び図６（ｂ）を参照して、実施形態１に係るガイド部材３の構成について説明する。図６（ａ）及び図６（ｂ）は、実施形態１に係るガイド部材３の構成を示す斜視図である。なお、図６（ａ）は、図４に示すガイド部材３の後側を右上方から見た図である。図６（ｂ）は、図４に示すガイド部材３の前側を右下方から見た図である。
【００３８】
図６（ａ）及び図６（ｂ）に示すように、ガイド部材３は、ガイドベース３１、２つのガイド側壁３４、２つの台紙支持部３５、及び２つの締結部３６を有する。
【００３９】
ガイドベース３１は、平板状の部材である。ガイドベース３１は、正面視略Ｕ字形状を有する。ガイドベース３１は、ガイド基部３２及び２つのガイド板３３を有する。
【００４０】
ガイド基部３２は、左右方向に延在する。２つのガイド板３３は、ガイド基部３２にそれぞれ接続する。詳しくは、２つのガイド板３３のうち、一方のガイド板３３は、ガイド基部３２の右端部と接続する。２つのガイド板３３のうち、他方のガイド板３３は、ガイド基部３２の左端部と接続する。以下、２つのガイド板３３のうち、ガイド基部３２の右端部に接続するガイド板３３を「右ガイド板３３Ｒ」と記載し、ガイド基部３２の左端部に接続するガイド板３３を「左ガイド板３３Ｌ」と記載する場合がある。右ガイド板３３Ｒは、ガイド基部３２の右端部から立設する。左ガイド板３３Ｌは、ガイド基部３２の左端部から立設する。
【００４１】
各ガイド板３３は、下ガイド端部３３１及び上ガイド端部３３２を有する。下ガイド端部３３１は、第１ガイド端部の一例である。上ガイド端部３３２は、第２ガイド端部の一例である。
【００４２】
下ガイド端部３３１は、ガイド板３３の長手方向（上下方向）における２つの端部のうち、ガイド基部３２側の端部である。上ガイド端部３３２は、ガイド板３３の長手方向における２つの端部のうち、ガイド基部３２とは反対側の端部である。
【００４３】
また、各ガイド板３３は、下ガイド端３３１ａ及び上ガイド端３３２ａを有する。下ガイド端３３１ａは、各ガイド板３３が有する２つの端のうち、ガイド基部３２と接続する側（下ガイド端部３３１側）の端である。上ガイド端３３２ａは、下ガイド端３３１ａと対向する（上ガイド端部３３２側）端である。
【００４４】
２つのガイド側壁３４は、上下方向に延在する平板状の部材である。２つのガイド側壁３４は、ガイドベース３１（ガイド基部３２及びガイド板３３）にそれぞれ接続する。詳しくは、２つのガイド側壁３４のうち、一方のガイド側壁３４は、ガイド基部３２の右端及び右ガイド板３３Ｒの右端に接続する。２つのガイド側壁３４のうち、他方のガイド側壁３４は、ガイド基部３２の左端及び左ガイド板３３Ｌの左端に接続する。以下、２つのガイド側壁３４のうち、ガイド基部３２の右端及び右ガイド板３３Ｒの右端に接続するガイド側壁３４を「右ガイド側壁３４Ｒ」と記載する場合がある。また、２つのガイド側壁３４のうち、ガイド基部３２の左端及び左ガイド板３３Ｌの左端に接続するガイド側壁３４を「左ガイド側壁３４Ｌ」と記載する場合がある。
【００４５】
各ガイド側壁３４は、ガイド内面３４ｎ及びガイド外面３４ｇを有する。ガイド内面３４ｎは、各ガイド側壁３４が有する２つの主面のうち、一方の面である。外面３２ｇは、各ガイド側壁３４が有する２つの主面のうち、他方（反対側）の面である。２つのガイド側壁３４のガイド内面３４ｎは、左右方向において互いに対向する。
【００４６】
２つの台紙支持部３５はそれぞれ、各ガイド側壁３４のガイド内面３４ｎに設けられる。
【００４７】
各台紙支持部３５は、第１支持部３５１、第２支持部３５２、及び第３支持部３５３を有する。
【００４８】
第１支持部３５１は、ガイド板３３と交差する方向に延在する。第３支持部３５３は、ガイド板３３と対向する。本実施形態において、第１支持部３５１は、ガイド板３３と直交する方向に延在する。第３支持部３５３は、ガイド板３３と平行な方向に延在する。第３支持部３５３は、ガイド板３３（上ガイド端部３３２）、及びガイド側壁３４と共にガイド溝３ｓを形成する。
【００４９】
第２支持部３５２は、第１支持部３５１及び第３支持部３５３に接続する。第２支持部３５２は、後側部分が前側部分よりも下方に位置するように傾斜する。換言すると、第２支持部３５２は、ガイド板３３に近づくにつれてガイド基部３２に近づく。
【００５０】
２つの締結部３６は、各ガイド側壁３４のガイド外面３４ｇにそれぞれ配置される。２つの締結部３６は、図５を参照して説明した締結部材Ｓによって、本体ケース１のガイド支持部１４に締結される。この結果、ガイド部材３が本体ケース１の内部に固定される。
【００５１】
次に、図７（ａ）及び図７（ｂ）を参照して、実施形態１に係るクランプ４の構成について説明する。図７（ａ）及び図７（ｂ）は、実施形態１に係るクランプ４の構成を示す斜視図である。なお、図７（ａ）は、図４に示すクランプ４の後側を右上方から見た図である。図７（ｂ）は、図４に示すクランプ４の前側を右下方から見た図である。
【００５２】
図７（ａ）及び図７（ｂ）に示すように、クランプ４は、規制部４１、台紙接触部４２、及び２つのクランプ突起部４３を有する。
【００５３】
規制部４１は、主壁４１１、２つの規制側壁４１２、及び底壁４１３を有する。底壁４１３は、上面視略矩形形状であり、底面４１３ｓを有する。なお、底面４１３ｓは、操作面の一例である。
【００５４】
主壁４１１は、底面４１３ｓから立設する。２つの規制側壁４１２は、左右方向において互いに対向する。２つの規制側壁４１２は、底面４１３ｓの右端及び左端に接触する。本実施形態において、各規制側壁４１２は、底面４１３ｓに直交する方向に延在する。各規制側壁４１２は、上側壁部と下側壁部とを有する。上側壁部は、底面４１３ｓよりも上側の部分によって構成される。下側壁部は、底面４１３ｓよりも下側の部分によって構成される。主壁４１１は、各規制側壁４１２と接続する。
【００５５】
各規制側壁４１２の上側壁部は、側面視略三角形状を有する。各規制側壁４１２の上側壁部は、傾斜部４１２ａを有する。傾斜部４１２ａは、上側部分が下側部分よりも主壁４１１から離れるように傾斜する。換言すると、傾斜部４１２ａは、底壁４１３に近づくにつれて、主壁４１１から離れる。
【００５６】
また、規制部４１は、凹部４１ａを有する。凹部４１ａは、主壁４１１、２つの規制側壁４１２、及び底壁４１３によって囲まれる空間である。
【００５７】
台紙接触部４２は、正面視略矩形形状を有する。台紙接触部４２は、底壁４１３が有する４つの端のうち、主壁４１１とは反対側の端（後端）に接続する。台紙接触部４２は、底壁４１３から、主壁４１１が延在する方向（上方）とは反対方向（下方）に向けて延在する。
【００５８】
台紙接触部４２は、台紙接触面４２ｓを有する。台紙接触面４２ｓは、接触面の一例である。
【００５９】
台紙接触面４２ｓは、底面４１３ｓと交差する。本実施形態において、台紙接触面４２ｓは、底面４１３ｓと直交する。台紙接触面４２ｓは、台紙接触部４２が有する２つの主面のうち、主壁４１１とは反対側の面である。
【００６０】
２つのクランプ突起部４３はそれぞれ、２つの規制側壁４１２に設けられる。各クランプ突起部４３は、各規制側壁４１２から外方（左右方向）へ向けて突出する。２つのクランプ突起部４３は、図４を参照して説明した軸受部１２に摺動可能に嵌合する。これらの構成により、クランプ４は、第２回転軸Ｘ２を中心に第３回転方向Ｒ３又は第４回転方向Ｒ４に回転する。第２回転軸Ｘ２は、各クランプ突起部４３を結ぶ線によって構成される。クランプ４は、回転することにより、姿勢が変化する。
【００６１】
図７（ｂ）に示すように、クランプ４は、バネ接続部４４を更に有する。バネ接続部４４は、底壁４１３の底面４１３ｓとは反対側の面に設けられる。詳しくは、バネ接続部４４は、底壁４１３の底面４１３ｓとは反対側の面において、第２回転軸Ｘ２よりも台紙接触部４２側に設けられる。バネ接続部４４には、図４及び図５を参照して説明したバネ５が接続する。バネ５は、底壁４１３を上方へ付勢する。換言すると、バネ５は、第２回転軸Ｘ２よりも後方において底壁４１３を上方に向けて付勢する。
【００６２】
次に、図８（ａ）及び図８（ｂ）を参照して、実施形態１に係る集塵袋ＰＤについて説明する。図８（ａ）及び図８（ｂ）は、実施形態１に係る集塵袋ＰＤを示す図である。
【００６３】
図８（ａ）及び図８（ｂ）に示すように、集塵袋ＰＤは、袋部Ｐ及び台紙部Ｄを有する。台紙部Ｄには、台紙開口Ｄｈが形成されている。集塵袋ＰＤが本体ケース１に装着されると、台紙開口Ｄｈは、図１を参照して説明した吸引口１ｋと対向する。これにより、吸引口１ｋを介して吸引された塵埃が台紙開口Ｄｈを介して袋部Ｐに集塵される。
【００６４】
図８（ｂ）に示すように、台紙部Ｄは、第１台紙端Ｄ１及び第２台紙端Ｄ２を有する。第１台紙端Ｄ１と第２台紙端Ｄ２とは互いに対向する。台紙開口Ｄｈは、第１台紙端Ｄ１と第２台紙端Ｄ２との間に形成される。
【００６５】
続いて、図１〜図１０を参照して、本体ケース１の内部の構成について説明する。図９及び図１０は、実施形態１に係る本体ケース１の内部の構成を示す斜視図である。詳しくは、図９は、集塵袋ＰＤが装着される前の本体ケース１を示し、図１０は、集塵袋ＰＤが装着された後の本体ケース１を示す。なお、図９及び図１０では、理解を容易にするために、集塵袋ＰＤの袋部Ｐを省略し、集塵袋ＰＤの台紙部Ｄのみを図示している。
【００６６】
図９及び図１０に示すように、本体ケース１は、対向壁１ｔを内部に有する。対向壁１ｔは、装着口１ｓと対向する。
【００６７】
ガイド部材３は、台紙部Ｄ（集塵袋ＰＤ）の移動を案内する。詳しくは、ガイド部材３は、台紙部Ｄを装着方向Ａに沿って案内する。装着方向Ａは、本体ケース１の外部から装着口１ｓを介して対向壁１ｔへ向かう方向を示す。
【００６８】
台紙部Ｄは、２つのガイド溝３ｓに挿入されることにより、前後方向及び左右方向への移動が規制される。詳しくは、各ガイド溝３ｓは、図６（ａ）を参照して説明したように、第３支持部３５３、ガイド板３３（上ガイド端部３３２）、及びガイド側壁３４によって構成される。第３支持部３５３は、台紙部Ｄの前方への移動を規制し、ガイド側壁３４は、台紙部Ｄの左右方向への移動を規制し、ガイド板３３は、台紙部Ｄの後方への移動を規制する。台紙部Ｄの前後方向及び左右方向への移動が規制されることにより、台紙部Ｄを装着方向Ａ（上下方向）に沿ってスムーズに移動させることができる。
【００６９】
台紙部Ｄは、図１０に示すように、装着方向Ａに沿って所定の位置まで挿入される。この結果、集塵袋ＰＤが本体ケース１の内部に装着（固定）される。
【００７０】
続いて、図１１（ａ）及び図１１（ｂ）を参照して、実施形態１に係るクランプ４の姿勢の変化について説明する。図１１（ａ）及び図１１（ｂ）は、実施形態１に係るクランプ４の姿勢の変化を示す図である。詳しくは、図１１（ａ）は、台紙部Ｄが挿入される前（集塵袋ＰＤが装着される前）のクランプ４の姿勢を示す。図１１（ｂ）は、台紙部Ｄが挿入された後（集塵袋ＰＤが装着された後）のクランプ４の姿勢を示す。なお、図１１（ａ）及び図１１（ｂ）に示す例では、台紙部Ｄは、第１台紙端Ｄ１側から本体ケース１に挿入される。
【００７１】
図１１（ａ）に示すように、台紙部Ｄが挿入される前において、台紙接触面４２ｓは、装着方向Ａ（ガイド板３３）と交差する。以下、図１１（ａ）に示すクランプ４の姿勢を「第１の姿勢」と記載する。
【００７２】
図１１（ａ）及び図１１（ｂ）に示すように、台紙部Ｄが装着方向Ａに沿って移動すると、台紙部Ｄの第１台紙端Ｄ１が台紙接触面４２ｓに接触する。第１台紙端Ｄ１が台紙接触面４２ｓに接触した状態で、台紙部Ｄが対向壁１ｔへ向けて更に移動すると、台紙部Ｄから台紙接触面４２ｓに対して、対向壁１ｔへ向かう押圧力が作用する。これにより、クランプ４がバネ５の付勢力に抗して、第２回転軸Ｘ２を中心に第３回転方向Ｒ３に沿って回転する。この結果、図１１（ｂ）に示すように、台紙接触面４２ｓは、装着方向Ａ（ガイド板３３）と略平行になる。以下、図１１（ｂ）に示すクランプ４の姿勢を「第２の姿勢」と記載する。換言すると、クランプ４は、台紙部Ｄが装着方向Ａに沿って移動することにより、第１の姿勢から第２の姿勢へ切り替わる。
【００７３】
また、台紙部Ｄが所定の位置まで挿入されて、集塵袋ＰＤが本体ケース１に装着されると、集塵袋ＰＤの台紙開口Ｄｈは、吸引口１ｋと対向する。詳しくは、台紙開口Ｄｈの位置は、吸引口１ｋの位置と一致する。したがって、吸引口１ｋは、第１台紙端Ｄ１と第２台紙端Ｄ２との間に位置する。
【００７４】
図１１（ｂ）に示すように、クランプ底面位置Ｐ１は、台紙位置Ｐ２よりも、対向壁１ｔ側（下方）に位置する。クランプ底面位置Ｐ１は、クランプ４の底面４１３ｓの上下方向における位置を示す。台紙位置Ｐ２は、本体ケース１に装着された集塵袋ＰＤの第２台紙端Ｄ２の上下方向における位置を示す。
【００７５】
クランプ底面位置Ｐ１が台紙位置Ｐ２よりも対向壁１ｔ側に位置することにより、台紙部Ｄをつまむユーザーの手指が底面４１３ｓに接触することが抑制される。したがって、台紙部Ｄに対する操作性が向上する。具体的には、ユーザーは、例えば、所定の位置まで台紙部Ｄを容易に挿入させることができる。あるいは、集塵袋ＰＤを本体ケース１から容易に取り出すことができる。
【００７６】
集塵袋ＰＤが本体ケース１から取り出されると、クランプ４は、台紙接触面４２ｓに対して作用する押圧力から解放される。バネ５は、第２回転軸Ｘ２よりも後方において底壁４１３を上方へ向けて付勢している。したがって、クランプ４は、バネ５の付勢力によって、第２回転軸Ｘ２を中心に第４回転方向Ｒ４に沿って回転する。この結果、クランプ４は、図１１（ｂ）に示す第２の姿勢から図１１（ａ）に示す第１の姿勢へ切り替わる。
【００７７】
続いて、図１２（ａ）〜図１３（ｂ）を参照して、実施形態１に係るカバー部材２とクランプ４との関係について説明する。
【００７８】
図１２（ａ）〜図１２（ｂ）は、実施形態１に係るカバー部材２とクランプ４との関係を示す図である。図１２（ａ）及び図１２（ｂ）に示すクランプ４は、第１の姿勢である。
【００７９】
図１２（ａ）及び図１２（ｂ）に示すように、第１の姿勢であるクランプ４は、カバー本体２１が閉状態になることを規制する。
【００８０】
詳しくは、本体ケース１の前面（本体前壁部１ｆ）は、第１回転軌跡Ｔ１上に位置する。第１回転軌跡Ｔ１は、カバー部材２が回転する際にカバー内面２１ｎの先端部分（カバー先端２１ａ）が描く軌跡である。クランプ４が第１の姿勢である場合、規制部４１は、第２回転軌跡Ｔ２上に位置する。第２回転軌跡Ｔ２は、カバー部材２が回転する際に規制リブ２２１ａが描く軌跡である。クランプ４の姿勢が第１の姿勢である場合において、カバー部材２の第１回転角度は、カバー部材２の第２回転角度よりも大きい。第１回転角度は、カバー部材２が第１開状態から閉状態となるまで回転する際のカバー部材２の回転角度を示す。換言すると、カバー先端２１ａが前壁上面１ｕよりも下方に位置し、カバー内面２１ｎの先端部分が本体ケース１の前面に接触する位置まで回転する際のカバー部材２の回転角度を示す。第２回転角度は、カバー部材２が第１開状態から第２開状態となるまで回転する際のカバー部材２の回転角度を示す。換言すると、規制リブ２２１ａが規制部４１と接触する位置まで回転する際のカバー部材２の回転角度を示す。したがって、図１２（ａ）及び図１２（ｂ）に示すように、クランプ４が第１の姿勢である場合、カバー部材２が第２回転方向Ｒ２に沿って回転すると、カバー内面２１ｎの先端部分が本体ケース１の前面に接触する前に、規制リブ２２１ａが規制部４１に接触する。よって、クランプ４は、カバー部材２が閉状態になることを規制する。
【００８１】
図１３（ａ）〜図１３（ｂ）は、実施形態１に係るカバー部材２とクランプ４との関係を示す図である。図１３（ａ）及び図１３（ｂ）に示すクランプ４は、第２の姿勢である。
【００８２】
図１３（ａ）及び図１３（ｂ）に示すように、第２の姿勢であるクランプ４は、カバー本体２１が閉状態になることを許容する。
【００８３】
詳しくは、クランプ４が第２の姿勢である場合において、規制部４１は、第２回転軌跡上Ｔ２に位置せず、第３回転軌跡Ｔ３上に位置する。第３回転軌跡Ｔ３は、カバー部材２が回転する際に、規制部材収容部２３が描く軌跡である。図３を参照して説明したように、規制部材収容部２３は、規制リブ２２１ａ、第２リブ２２２、第３リブ２２３、第４リブ２２４、及びカバー内面２１ｎによって囲まれる空間である。規制部材収容部２３は、前壁上面１ｕから突出する規制部４１を収容できる空間である。したがって、クランプ４が第２の姿勢である場合、カバー部材２が図１３（ａ）に示す位置から第２回転方向Ｒ２に沿って回転すると、規制部４１は、規制リブ２２１ａに接触することなく、規制部材収容部２３に収容される。これにより、被係止部２２５ａが係止部１１ａによって係止される。詳しくは、カバー内面２１ｎの先端部分が本体ケース１の前面に接触し、本体ケース１の内部と本体ケース１の外部とを連通する隙間が塞がれる。この結果、カバー部材２は、閉状態になる。
【００８４】
以上、実施形態１について説明した。本実施形態によれば、台紙部Ｄを装着方向Ａに沿って移動させるだけで、クランプ４の姿勢が第１の姿勢から第２の姿勢へ変化する。クランプ４が第２の姿勢である場合、クランプ４の規制部４１がカバー本体２１の規制部材収容部２３に収容される。この結果、カバー部材２を閉状態にすることができる。したがって、集塵袋ＰＤの装着忘れを抑制しつつ、より簡単な操作でカバー部材２を閉状態にすることができる。
【００８５】
また、本実施形態によれば、台紙部Ｄの挿入が未完全である（所定の位置まで挿入されていない）場合、カバー部材２は、台紙部Ｄを所定の位置まで挿入する。詳しくは、第３リブ２２３のリブ凹部２２３ａ（図３参照）は、カバー部材２が閉状態になると、第２台紙端Ｄ２に接触し、台紙部Ｄを所定の位置まで移動させる高さに設定されている。これにより、台紙部Ｄの未完全な挿入が防止され、台紙開口Ｄｈの位置が吸引口１ｋの位置と一致する。
【００８６】
また、本実施形態において、ガイド部材３の部材色と本体ケース１の内壁の部材色とが異なる。これにより、ユーザーは、台紙部Ｄを挿入する位置を容易に識別することができる。この結果、ユーザーは、集塵袋ＰＤをスムーズに装着することができる。
【００８７】
なお、本実施形態において、電気掃除機１００は、バネ５を備えたが、バネ５は省略されてもよい。この場合において、クランプ４は、第１の姿勢となるように、第２回転軸Ｘ２に対する重心の位置が調整される。重心の位置は、例えば、比重が異なる複数の材料を組み合わせてクランプ４を構成することにより調整することができる。
【００８８】
また、本実施形態において、クランプ４（規制部４１）が凹部４１ａを有する構成を説明したが、図１４に示すように、凹部４１ａは省略されてもよい。図１４は、実施形態１に係るクランプ４の他の構成を示す斜視図である。
【００８９】
また、本実施形態において、集塵袋ＰＤが本体ケース１に装着された状態において、台紙位置Ｐ２（第２台紙端Ｄ２の位置）がクランプ底面位置Ｐ１（クランプ４の底面４１３ｓの位置）よりも対向壁１ｔ側（下側）に位置する構成を説明したが、台紙位置Ｐ２は、クランプ底面位置Ｐ１と略一致してもよい。
【００９０】
また、本実施形態において、ガイド部材３の部材色が本体ケース１の内部の部材色と異なる構成を説明したが、ガイド部材３の部材色は、本体ケース１の内部の部材色と同じであってもよい。
【００９１】
［実施形態２］
続いて、図１５を参照して、実施形態２に係る電気掃除機１００について説明する。実施形態２は、ガイド部材３の構成が実施形態１と異なる。以下、実施形態２について、実施形態１と異なる事項について説明し、実施形態１と重複する部分についての説明は割愛する。
【００９２】
図１５は、実施形態２に係るガイド板３３の構成を示す図である。詳しくは、図１５は、図６（ａ）及び図６（ｂ）を参照して説明した左ガイド側壁３４Ｌを右側から見た模式図を示す。
【００９３】
本実施形態において、上ガイド端３３２ａは、下ガイド端３３１ａよりも吸引口１ｋから離れて設けられる。図１５に示す例では、上ガイド端３３２ａは、下ガイド端３３１ａよりも後方に配置される。詳しくは、上ガイド端部３３２は、後方へ上昇傾斜する。換言すると、上ガイド端部３３２は、上ガイド端部３３２が上昇傾斜しない構成（例えば、図６（ａ）に示す構成）と比べて、第２支持部３５２とのなす角度が大きい。
【００９４】
以上、実施形態２について説明した。本実施形態によれば、前後方向において、上ガイド端３３２ａは、下ガイド端３３１ａよりも吸引口１ｋから離れて設けられる。したがって、集塵袋ＰＤをよりスムーズに装着することができる。
【００９５】
［実施形態３］
続いて、図１６を参照して、実施形態３に電気掃除機１００について説明する。実施形態３では、ガイド部材３の構成が実施形態１及び実施形態２と異なる。以下、実施形態３について実施形態１及び実施形態２と異なる事項について説明し、実施形態１及び実施形態２と重複する部分についての説明は割愛する。
【００９６】
図１６は、実施形態３に係るガイド板３３の構成を示す斜視図である。図１６は、図６（ａ）及び図６（ｂ）を参照して説明した左ガイド側壁３４Ｌを右側から見た模式図を示す。
【００９７】
図１６に示すように、ガイド位置Ｐ３は、クランプ下端位置Ｐ４よりも対向壁１ｔ側（下方）に位置する。ガイド位置Ｐ３は、上ガイド端３３２ａの上下方向の位置を示す。クランプ下端位置Ｐ４は、第１の姿勢であるクランプ４（台紙接触部４２）の下端の上下方向の位置を示す。
【００９８】
以上、実施形態３について説明した。本実施形態によれば、ガイド位置Ｐ３は、クランプ下端位置Ｐ４よりも対向壁１ｔ（下方）側に位置する。このため、集塵袋ＰＤをよりスムーズに装着することができる。
【００９９】
以上、本発明の実施形態について、図面（図１〜図１６）を参照しながら説明した。但し、本発明は、上記の実施形態に限られるものではなく、その要旨を逸脱しない範囲で種々の態様において実施することが可能である。また、上記の実施形態で示す構成、材料、及び数値は、一例であって特に限定されるものではなく、本発明の効果から実質的に逸脱しない範囲で種々の変更が可能である。
【０１００】
例えば、本発明の実施形態において、ガイド部材３が本体ケース１と別体である構成について説明したが、ガイド部材３は、本体ケース１と一体に成形されてもよい。
【産業上の利用可能性】
【０１０１】
本発明は、電気掃除機の分野に有用である。
【符号の説明】
【０１０２】
１              本体ケース（筐体）
１ｋ            吸引口
１ｔ            対向壁
２              カバー部材
３              ガイド部
４              クランプ（規制部材）
５              バネ（付勢部材）
３３            ガイド板
３３１          第１ガイド端部
３３１ａ        第１ガイド端
３３２          第２ガイド端部
３３２ａ        第２ガイド端
４２ｓ          台紙接触面（接触面）
１００          電気掃除機
Ａ              装着方向
Ｄ              台紙部（台紙）
Ｄ１            第１台紙端
Ｄ２            第２台紙端
【図１】
2019136334.tif 000003
【図２】
2019136334.tif 000004
【図３】
2019136334.tif 000005
【図４】
2019136334.tif 000006
【図５】
2019136334.tif 000007
【図６】
2019136334.tif 000008
【図７】
2019136334.tif 000009
【図８】
2019136334.tif 000010
【図９】
2019136334.tif 000011
【図１０】
2019136334.tif 000012
【図１１】
2019136334.tif 000013
【図１２】
2019136334.tif 000014
【図１３】
2019136334.tif 000015
【図１４】
2019136334.tif 000016
【図１５】
2019136334.tif 000017
【図１６】
2019136334.tif 000018